(57)【要約】【課題】狭い空間で用いられる送風装置において，支持部とファンとの接近から発生する干渉音を低減した送風装置を提供し，またこれを搭載した小型で低騒音のパイプ用換気扇の提供を目的とする。【解決手段】ファン３と接続支持部５が接近する領域での隙間を広げるために、ブレード外周部１９にブレード１の仕事量を低下させない切欠き１０を設けることによって，干渉音の発生を抑えた送風装置が得られ，これをパイプ用換気扇に搭載することにより低静音のパイプ用換気扇が得られる。【選択図】図１
2008075981.tif 000002
【特許請求の範囲】
【請求項１】
ブレードとファンボスを備えたファンとこれを囲むケーシングからなり、前記ケーシングは前記ファン下流端よりも上流側位置から開口する開口部を有し、前記ケーシング端部から前記ケーシングと同径上かつ下流側の接続支持部によって任意の機器に接続される送風装置において、前記ファン外側に前記開口部と前記接続支持部が混在する軸方向領域での前記ファンと前記接続支持部との干渉による騒音上昇につながる圧力変動を抑制するためにブレード外周部に切欠きを設けたことを特徴とする送風装置。
【請求項２】
ブレード外周部の切欠き形状が、複数の凹部からなることを特徴とした請求項１記載の送風装置。
【請求項３】
ブレード外周部の切欠きの軸方向最上流側位置が、ケーシング開口部開始位置と軸方向に同位置であることを特徴とした請求項１または２記載の送風装置。
【請求項４】
ブレード外周部の切欠きの軸方向最下流側位置が、ブレード下流端と同位置であり、ブレード上流端と同半径であることを特徴とした請求項１から３のいずれかに記載の送風装置。
【請求項５】
ブレード外周部の切欠き淵形状の一部が流れ方向にほぼ沿う形状であること特徴とした請求項１から４のいずれかに記載の送風装置。
【請求項６】
ブレード子午面形状において、外周部の切欠き淵形状の一部がファンのボスの外形線と同距離の曲線もしくは直線からなることを特徴とした請求項５に記載の送風装置。
【請求項７】
ケーシング開口部の軸方向の領域において、ファン水平方向断面形状外周側の延長接線が、半径方向直線に対して回転逆方向を向いていることを特徴とした請求項１から６のいずれかに記載の送風装置。
【請求項８】
ファン上流側にファン径よりも小さい径の流入口となるオリフィスを有することを特徴とした請求項１から７のいずれかに記載の送風装置。
【請求項９】
ケーシング端部から伸びる接続支持部周方向の少なくとも一辺が軸と平行でなく、ブレードの軸方向に対する傾斜と逆の傾斜であることを特徴とした請求項１から８のいずれかに記載の送風装置。
【請求項１０】
接続支持部が周方向に複数あり、かつ前記接続支持の周方向の間隔が一定でないことを特徴とした請求項１から９のいずれかに記載の送風装置。
【請求項１１】
ケーシングに接続される接続支持部により電動機がファン下流側に支持されていることを特徴とした請求項１から１０のいずれかに記載の送風装置。
【請求項１２】
電動機径がケーシング径よりも小さく、これを保持するために接続支持部から折り曲げられて電動機を支える電動機支持部が軸方向のブレード取り付け方向とは逆方向に傾くような静翼の役目を果たす前記電動機支持部を備えたことを特徴とした請求項１１に記載の送風装置。
【請求項１３】
請求項１１または１２のいずれかに記載の送風装置を備え、前記送風装置のケーシング径よりも、径の大きい通風パイプを室壁または天井に埋め込み、前記送風装置ケーシング部を前記パイプに挿入して換気を行うことを特徴としたパイプ用換気扇。
【発明の詳細な説明】
【技術分野】
【０００１】
本発明は、室壁または天井に埋め込まれた通風パイプに装着して使用されるパイプ用換気扇と、その送風装置に関する。
【背景技術】
【０００２】
従来、この種のパイプ用換気扇は、パイプの中に挿入するだけの設置の容易性や高気密住宅の普及に伴う換気の重要性の高まりに伴って設置が増加しており、特に居室への設置ではその運転時の騒音を抑えることが求められている（例えば、特許文献１参照）。
【０００３】
以下、そのパイプ用換気扇とその送風装置について図９、図１０を参照しながら説明する。
【０００４】
パイプ用換気扇は、フランジ１０１を備えて流路を形成するケーシング１０２が電動機１０３を保持し、電動機１０３のシャフト１０４にファン１０５を取り付け回転させることにより送風運転をおこなう。ケーシング１０２は壁内１０６に埋め込まれて室内外を貫通させるパイプ１０７に挿入され、フランジ１０１を室内側壁面１０８に接触させることにより位置決めを行い、パイプ用換気扇室内側のルーバ１０９、パイプ室外側の屋外フード１１０と共に設置させる。上記構成において、図１０の前記ケーシング１０２に示すように、電動機１０３はケーシング１０２同半径上に備えられた複数の支持部１１１を介して保持され、上流側でファン１０５を回転させ、支持部１１１の間を流路とすることで、狭い空間であるパイプ１０７内部に送風装置を備えて送風を可能としている。
【特許文献１】特開平０８−００５１１８号公報（図１、図３）
【発明の開示】
【発明が解決しようとする課題】
【０００５】
このような従来のパイプ用換気扇では、パイプ内部の狭い空間で流路と送風装置の支持部が存在しなければならず、この支持部とファンとの接近が避けられずに干渉音の発生を招いていた。
【０００６】
本発明は、このような従来の課題を解決するものであり、狭い空間内部で流路と支持部を存在させ、支持部とファンが接近しても干渉騒音の小さい送風装置と、これを用いて構成される小型で低騒音のパイプ用換気扇を提供することを目的としている。
【課題を解決するための手段】
【０００７】
本発明の送風装置は上記目的を達成するため、ブレードとファンボスを備えたファンとこれを囲むケーシングからなり、前記ケーシングは前記ファン下流端よりも上流側位置から開口する開口部を有し、前記ケーシング端部から前記ケーシングと同径上かつ下流側の接続支持部によって任意の機器に接続される送風装置において、前記ファン外側に前記開口部と前記接続支持部が混在する軸方向領域での前記ファンと前記接続支持部との干渉による騒音上昇につながる圧力変動を抑制するためにブレード外周部に切欠きを設けたことを特徴としたものである。
【０００８】
この手段により、狭い空間内部においても開口部の中に存在する接続支持部とファンとの隙間を広げることで騒音上昇の原因となる圧力変動を抑制することができ、ブレード面積削減で回転数上昇があったとしても同風量時の騒音低減が可能となり、特にピーク音となる干渉音の発生を抑えることのできる送風装置が得られる。
【０００９】
また他の手段は、ブレード外周部の切欠き形状が、複数の凹部からなることを特徴としたものである。
【００１０】
この手段により、ファン幅に対してケーシング開口部が広すぎる場合に１つの切欠きで騒音低減を図った場合のブレード面積の過削減によるファン能力低下を防ぎ、かつ騒音の低減が可能となる送風装置が得られる。
【００１１】
また他の手段は、ブレード外周部の切欠きの軸方向最上流側位置が、ケーシング開口部開始位置と軸方向に同位置であることを特徴としたものである。
【００１２】
この手段により、接続支持部とブレードとが干渉する部分にのみ切欠きを設け、開口の無いケーシング部分にはブレード面積を大きくとることとなり、性能低下を防ぎながらも騒音の低減が可能となる送風装置が得られる。
【００１３】
また他の手段は、ブレード外周部の切欠きの軸方向最下流側位置が、ブレード下流端と同位置であり、ブレード上流端と同半径であることを特徴としたものである。
【００１４】
この手段により、ケーシング側面後流側のブレードの上流中央側から下流外周側へ抜ける流れに対して、最も大きな静圧上昇箇所となる範囲の送風性能に影響を与えるブレード面積を確保しながらも干渉を抑える箇所のみ除去して騒音の低減が可能となる送風装置が得られる。
【００１５】
また他の手段は、ブレード外周部の切欠き淵形状の一部が流れ方向にほぼ沿う形状であること特徴としたものである。
【００１６】
この手段により、ブレード上流中央側から下流外周側へ抜ける流れに対する仕事の大きなブレード領域の確保と騒音低減ために効果的な羽根形状を持つ送風装置が得られる。
【００１７】
また他の手段は、ブレード子午面形状において、外周部の切欠き淵形状の一部がファンのボスの外形線と同距離の曲線もしくは直線からなることを特徴としたものである。
【００１８】
この手段により、ブレード領域の確保と騒音低減のために流れ方向にほぼ沿うファンの設計が容易な送風装置が得られる。
【００１９】
また他の手段は、ケーシング開口部の軸方向の領域において、ファン水平方向断面形状外周側の延長接線が、半径方向直線に対して回転逆方向を向いていることを特徴としたものである。
【００２０】
この手段により、ケーシング側面に開口部を持つと、その領域では流れの方向が半径方向に向かうが、この流路内で最適に送風を行う回転逆方向のファンを用いることにより、低騒音かつ送風性能の優れた送風装置が得られる。
【００２１】
また他の手段は、ファン上流側にファン径よりも小さい径の流入口となるオリフィスを有することを特徴としたものである。
【００２２】
この手段により、ケーシング側面に開口部を持つと、その領域では流れの方向が半径方向に向かうが、径の小さいオリフィスを備えることにより、この半径方向の流れが促進されて低騒音かつ高静圧時の送風性能の優れた送風装置が得られる。
【００２３】
また他の手段は、ケーシング端部から伸びる接続支持部周方向の少なくとも一辺が軸と平行でなく、ブレードの軸方向に対する傾斜と逆の傾斜であることを特徴としたものである。
【００２４】
この手段により、短時間であるほど大きな圧力変動となるブレードと接続支持部のすれ違い時間が長く圧力変動が小さくなり、かつブレードには切欠きを有しているために騒音低減の効果が向上する送風装置が得られる。
【００２５】
また他の手段は、接続支持部が周方向に複数あり、かつ前記接続支持の周方向の間隔が一定でないことを特徴としたものである。
【００２６】
この手段により、干渉音の元となるブレードと各接続支持部のすれ違いのタイミングをずらすことができ、かつブレードには切欠きを有しているために騒音低減の効果が向上する送風装置が得られる。
【００２７】
また他の手段は、ケーシングに接続される接続支持部により電動機がファン下流側に支持されていることを特徴としたものである。
【００２８】
この手段により、送風装置を構成するのに必要であるが狭い空間に配置するには障害物となる電動機をファンボス後流側の影響の小さい位置に備え、かつそれを支える接続支持部とファンとの干渉を抑えることにより、小型でありながら送風性能に優れた低騒音の送風装置が得られる。
【００２９】
また他の手段は、電動機径がケーシング径よりも小さく、これを保持するために接続支持部から折り曲げられて電動機を支える電動機支持部が軸方向のブレード取り付け方向とは逆方向に傾くような静翼の役目を果たす前記電動機支持部を備えたことを特徴としたものである。
【００３０】
この手段により、電動機をファン近傍に備える場合でも、静翼のために干渉音の低減、送風性能の向上が可能となる送風装置が得られる。
【００３１】
また本発明のパイプ用換気扇は、本発明の送風装置を備え、前記送風装置のケーシング径よりも、径の大きい通風パイプを室壁または天井に埋め込み、前記送風装置ケーシング部を前記パイプに挿入して換気を行うことを特徴としたものである。
【００３２】
この手段により、パイプに挿入できる小型でありながら、送風性能に優れた低騒音のパイプ用換気扇が得られる。
【発明の効果】
【００３３】
本発明によれば、狭い空間内部で流路と接続支持部を存在させ、接続支持部とファンが接近しても十分な送風性能があり干渉騒音の小さい送風装置を提供できる。
【００３４】
また、この送風装置を用いることにより、パイプに挿入できる小型サイズでも十分な送風性能があり干渉騒音の発生を抑えることのできるパイプ用換気扇を提供できる。
【発明を実施するための最良の形態】
【００３５】
本発明の請求項１記載の発明は、送風装置であって、ブレードとファンボスを備えたファンとこれを囲むケーシングからなり、前記ケーシングは前記ファン下流端よりも上流側位置から開口する開口部を有し、前記ケーシング端部から前記ケーシングと同径上かつ下流側の接続支持部によって任意の機器に接続される送風装置において、前記ファン外側に前記開口部と前記接続支持部が混在する軸方向領域での前記ファンと前記接続支持部との干渉による騒音上昇につながる圧力変動を抑制するためにブレード外周部に切欠きを設けたものであり、狭い空間内部においても開口部の中に存在する接続支持部とファンとの隙間を広げることで騒音上昇の原因となる圧力変動を抑制することができ、ブレード面積削減で回転数上昇があったとしても同風量時の騒音低減が可能となり、特にピーク音となる干渉音の発生を抑えることが可能となる。
【００３６】
また、請求項２記載の発明は、送風装置であって、ブレード外周部の切欠き形状が、複数の凹部からなるものであり、ファン幅に対してケーシング開口部が広すぎる場合に１つの切欠きで騒音低減を図った場合のブレード面積の過削減によるファン能力低下を防ぎ、かつ騒音の低減が可能となる。
【００３７】
また、請求項３記載の発明は、送風装置であって、ブレード外周部の切欠きの軸方向最上流側位置が、ケーシング開口部開始位置と軸方向に同位置であるものであり、接続支持部とブレードとが干渉する部分にのみ切欠きを設け、開口の無いケーシング部分には仕事領域としてブレード面積を大きくとることとなり、性能低下は防ぎながらも騒音の低減が可能の効果が得られる。
【００３８】
また、請求項４記載の発明は、送風装置であって、ブレード外周部の切欠きの軸方向最下流側位置が、ブレード下流端と同位置であり、ブレード上流端と同半径であるものであり、ケーシング側面後流側に開口に向けてブレードの上流中央側から下流外周側へ抜ける流れに対して、最も大きな静圧上昇箇所となる範囲の送風性能に影響を与えるブレード面積を確保しながらも騒音の低減が可能となる。
【００３９】
また、請求項５記載の発明は、送風装置であって、ブレード外周部の切欠き淵形状の一部が流れ方向にほぼ沿う形状であるものであり、ブレード上流中央側から下流外周側へ抜ける流れに対する仕事の大きなブレード領域の確保と騒音低減ために効果的な羽根形状とすることが可能となる。
【００４０】
また、請求項６記載の発明は、送風装置であって、外周部の切欠き淵形状の一部がファンのボスの外形線と同距離の曲線もしくは直線からなるものであり、ブレード領域の確保と騒音低減のために流れ方向にほぼ沿うファンの容易な設計が可能となる。
【００４１】
また、請求項７記載の発明は、送風装置であって、ケーシング開口部の軸方向の領域において、ファン水平方向断面形状外周側の延長接線が、半径方向直線に対して回転逆方向を向いているものであり、ケーシング側面に開口部を持つと、その領域では流れの方向が半径方向に向かうが、この流路内で最適に送風を行う回転逆方向のファンを用いることにより、送風性能の向上が可能となる。
【００４２】
また、請求項８記載の発明は、ファン上流側にファン径よりも小さい径の流入口となるオリフィスを有するものであり、ケーシング側面に開口部を持つと、その領域では流れの方向が半径方向に向かうが、径の小さいオリフィスを備えることにより、この半径方向の流れが促進されて高静圧時の送風性能向上が可能となる。
【００４３】
また、請求項９記載の発明は、送風装置であって、ケーシング端部から伸びる接続支持部周方向の少なくとも一辺が軸と平行でなく、ブレードの軸方向に対する傾斜と逆の傾斜であるものであり、短時間であるほど大きな圧力変動となるブレードと接続支持部のすれ違い時間が長く圧力変動が小さくなり、かつブレードには切欠きを有しているために騒音低減の効果が向上することが可能となる。
【００４４】
また、請求項１０記載の発明は、送風装置であって、接続支持部が周方向に複数あり、かつ前記接続支持の周方向の間隔が一定でないものであり、干渉音の元となるブレードと接続支持部のすれ違いのタイミングをそれぞれの接続支持部でずらすことができ、かつブレードには切欠きを有しているために騒音低減の効果が向上することが可能となる。
【００４５】
また、請求項１１記載の発明は、送風装置であって、ケーシングに接続される接続支持部により電動機がファン下流側に支持されているものであり、送風装置を構成するのに必要であるが狭い空間に配置するには障害物となる電動機をファンボス後流側の影響の小さい位置に備え、かつそれを支える接続支持部とファンとの干渉を抑えることにより、小型でありながら送風性能の向上と低騒音化が可能となる。
【００４６】
また、請求項１２記載の発明は、電動機径がケーシング径よりも小さく、これを保持するために接続支持部から折り曲げられて電動機を支える電動機支持部が軸方向のブレード取り付け方向とは逆方向に傾くような静翼の役目を果たす前記電動機支持部を備えたものであり、電動機をファン近傍に備える場合でも、静翼のために干渉音の低減、送風性能の向上が可能となる。
【００４７】
また、請求項１３記載の発明は、パイプ用換気扇であって、請求項１３または１４ずれかに記載の送風装置を備え、前記送風装置のケーシング径よりも、径の大きい通風パイプを室壁または天井に埋め込み、前記送風装置ケーシング部を前記パイプに挿入して換気を行うものであり、パイプに挿入できる小型でありながら、送風性能の向上と低騒音化が可能となる。
【００４８】
（実施の形態１）
図１は実施の形態１における送風装置の斜視図であって、図２は同子午面図である。
【００４９】
これらの図に示すように、送風装置は複数のブレード１とファンボス２を有するファン３が下流に備えられた電動機１０３に接続され、前記電動機１０３は電動機支持部４とこれにつながる周方向に等間隔に備えられた３箇所の接続支持部５を介して、前記ファン３を囲む前記ケーシング１０２に接続され、前記ファン３の上流側には前記ファン３の直径よりも小さい径の流入口を持つオリフィス６が前記ケーシング１０２の上流側に備えられている。
【００５０】
ここで、前記ケーシング１０２は前記ファン３の軸方向中間あたりから開口部７を有し、前記開口部７では周方向に前記接続支持部５が存在し周方向の形状が一様ではない非軸対称の形状となっており、前記ファン３は、この開口部開始位置８を最上端とし前記ファン３直径の１０％程度の内径側に切り込み、前記ブレード下流端９を最下端とし切欠き無しの箇所である前記ファン３と同半径位置へつながる形状となる切欠き１０を有している。
【００５１】
また、前記ファン３の子午面においては、ブレード外周部１９の前記切欠き１０の淵形状の一部が流れ方向にほぼ沿うようなファンボス外形線１１からオフセットされた同距離の曲線となっている。
【００５２】
また図３は前記ファン３のブレード外周部１９の前記切欠き１０を有する軸方向位置の軸に対して垂直な断面図であり、断面形状の外周端の延長接線１２が半径方向直線１３に対して回転逆方向を向いている。
【００５３】
上記構成において、前記ファン３が送風のために前記電動機１０３により回転されると、前記ブレード１は前記接続支持部５近傍を通過する。このとき、前記ブレード１と前記接続支持部５の干渉が圧力変動を生み、この圧力変動が干渉音を主とした騒音の発生源となるが、前記ファン３のブレード外周部１９に前記切欠き１０があることによりこの騒音を低減し、ピーク騒音も抑えることができ耳障りさもなくなる。また、この前記切欠き１０は、非軸対称な領域である前記接続支持部５から開始することでファンの性能に影響を与えるブレード面積の過削減を防止し、また最も大きな静圧上昇箇所となるブレード下流端９に至る流れを確保する形状となっていることで、十分な送風性能をもちながらも騒音を低減することができる。
【００５４】
また、前記ファン３の直径よりも流入口の小さなオリフィス６と前記ファン３の断面形状の外周端の延長接線１２が回転逆向きになることで、ケーシング１０２の前記開口部７を流路とした半径方向への流れを起こす高静圧型のファンとして最適な流路を形成でき、特に高静圧時に低騒音で高い送風性能である送風装置を得ることができる。
【００５５】
なお、実施の形態１では、電動機１０３がファン３の下流側に支持されているが、接続支持部５が接続されるものは電動機１０３でなく実施の形態１の送風装置が用いられる任意の機器部品の一部でもよく、この場合電動機１０３は上流側に接続支持部５を介さずに他の部材で支持されたりすることとなる。
【００５６】
また、前記切欠き１０のブレード外周部１９の切欠き開口部開始位置８と切欠きの最下端であるブレード下流端９の間に１つの凹部１４しか持たない１つの切欠きのみを有しているが、２つ以上の前記凹部１４を設けて仕事を行う羽根領域をより広く確保しながら騒音低減を行うこともできる。
【００５７】
また開口部開始位置８を最上端とし、ブレード下流端９を最下端としたブレード外周部１９の切欠き１０でなくても、開口部開始位置８とブレード下流端９の間に切欠き１０があれば、同風量時の騒音の低減効果は得られる。
【００５８】
また、子午面におけるファンボス外形線１１が曲線であるので切欠き１０の形状の一部がファンボス外形線１１と等間隔の曲線で構成されているが、ファンボス外形線が直線の場合は切欠き１０の形状の一部も直線でよく、また可視化等により翼面上流れが明らかな場合にはファンボス外形線のオフセットとならなくても一度ブレードから出た流れが再び翼面上に戻るような外形線で無ければよく、ブレード面積を確保しながらも騒音の低減が可能となる。
【００５９】
また、３箇所の前記接続支持部５を備えているが、複数または強度的に問題なければ一箇所の接続支持部であっても騒音の低減効果は得られる。
【００６０】
また、前記接続支持部５はケーシングと同半径とし、前記ブレード下流端９における半径を前記ファン３の外径と同一としているが、樹脂成型条件による差異程度の差異の影響は小さく、いずれにおいても同程度の径であればよい。
【００６１】
（実施の形態２）
図４は実施の形態２における送風装置の斜視図、図５は同子午面図であって、図６は図５中の線Ａにおける周方向断面図を示している。実施の形態１と同一部分は同一符号を附し詳細な説明は省略する。
【００６２】
これらの図に示すように、送風装置は回転方向に前傾した複数のブレード１とファンボス２を有する軸流のファン３が下流に備えられたケーシング１０２よりも径の小さな電動機１０３に接続され、前記電動機１０３は周方向に等間隔に備えられた３箇所の電動機支持部４とこれにつながる接続支持部５を介して、前記ファン３を囲む前記ケーシング１０２に接続されており、前記ケーシング１０２は前記ファン３の軸方向中間あたりから開口し、この開口部７では周方向に前記接続支持部５が存在しているため周方向の形状が一様ではない非軸対称の形状となっており、前記ファン３の軸方向の開口部開始位置８と前記ブレード下流端９の間のブレード外周部１９に、２箇所の凹部１４を持つ切欠き１０を有する形状となっている。
【００６３】
ここで、前記電動機支持部４は、回転方向に前傾した前記ブレード１とは逆向きの傾きに取り付けられており、前記ケーシング１０２上流側には滑らかに径のおおきくなるベルマウス１５が備えられている。
【００６４】
上記構成において、前記ファン３は軸流ファンであるが、開口部開始位置８との相対的位置関係によりその流量と静圧の特性を調整することができる。このため前記ファン近傍に前記ケーシング１０２に前記開口部７を設けるが、前記ファン３が送風のために電動機１０３により回転されると、前記ブレード１と前記接続支持部５の干渉が圧力変動を生み、この圧力変動が干渉音を主とした騒音の発生源となる。ここで前記ファン３のブレード外周部１９に前記切欠き１０があることにより干渉を緩和し、１つの大きな前記切欠き１０では送風性能の低下を招く場合に複数の小さな前記切欠き１０により低騒音でありながら最適な特性を得ることができる。
【００６５】
また、前記電動機支持部４の傾きが、前記ブレード１と逆向きとなり流れに沿う方向となるために前記電動機支持部４が軸と平行であるときよりも圧力損失を抑え、特に前記電動機支持部４を湾曲させて支持部後端１６を軸と平行に近づけることにより前記ファン３後流の旋回流を整流し、静圧特性の向上をはかる静翼の役目を果たすことができる。
【００６６】
なお、実施の形態２では開口部開始位置８とブレード下流端９の間のブレード外周部１９の切欠き１０が開口部開始位置８と切欠きの最下端であるブレード下流端９の間に位置しているが、開口部開始位置８を最上端とし前記ブレード下流端９を最下端とすると干渉による圧力変動をより抑えることができ、またブレード外周部１９の切欠き１０形状を１つの大きなものとして形状を単純化することもできる。
【００６７】
また、３箇所の接続支持部５を備えているが、複数または強度的に問題なければ一箇所の接続支持部であっても騒音の低減効果は得られる。
【００６８】
また、電動機支持部４に傾斜を儲けて静翼の役割を持たせているが、成型上条件がある場合には傾斜を持たない電動機支持部４を用いても、前記切欠き１０により騒音低減が可能となる。
【００６９】
（実施の形態３）
実施の形態１または２と同一部分は同一符号を附し詳細な説明は省略する。図７は実施の形態３における送風装置の斜視図であって、回転方向に前傾した複数のブレード１とファンボス２を有するファン３が上流に備えられた電動機１０３のシャフト１０４に接続され、前記ファン３を同軸上で囲むケーシング１０２が３箇所の接続支持部５を介して下流端部で任意の機器に接続されることにより固定される。
【００７０】
ここで、前記ケーシング１０２は前記ファン３の軸方向中間あたりから開口し、この開口部７では周方向に前記接続支持部５が存在し周方向の形状が一様ではない非軸対称の形状となっており、前記ファン３は、この開口部開始位置８を最上端とし前記ブレード下流端９を最下端としたブレード外周部１９の切欠き１０を有する形状となっている。
【００７１】
また、前記接続支持部５は軸と並行ではなく、前記ケーシングとほぼ同径位置でファン３の回転方向にずれてブレード１とは逆方向の傾きとなり、また３箇所にある前記各接続支持部５の周方向中心は９０°、１５０°１２０°と前記接続支持部５は周方向に不等間隔に配置されている。
【００７２】
上記構成において、前記電動機１０３の回転により前記ブレード１と前記接続支持部５が通過し圧力変動が生まれて発生する干渉音に対して、前記切欠き１０が干渉を緩和する。さらに、この干渉は、前記ブレード１と前記接続支持部５の周方向のずれが無く短時間で通過するほど大きい圧力変動となるが、前記接続支持部５をブレード１と逆方向に傾けることで、周方向のずれが大きくなり、軸方向を考慮したときのすれ違い時間が長くなり、干渉の圧力変動を抑え干渉音の低減が可能となる。
【００７３】
さらに、前記各接続支持部５が不等間隔に接続されているために、各々を通過するブレード１のタイミングも一様ではなくなり、干渉をずらすことにより干渉音低減が可能となる。
【００７４】
なお、実施の形態３における前記接続支持部５の傾斜の度合いは一様でなく、途中から傾斜を急にしたり緩やかにしたりしてもよく、前記接続支持部５自体の幅を一定にせず例えば片側の辺のみ軸に並行であって他方の辺にのみ傾斜を持たせても良く、さらに各前記接続支持部５の形状が同一でなければ通過のタイミングさらにずらすことができ騒音低減の効果が増すこととなる。
【００７５】
また、前記支持接続部１７は周方向に角を有して接続されているが、フィレットをつけることにより、傾斜と同様の効果が得られ、とくにフィレットの半径が大きい場合には前記接続支持部が軸と平行であっても干渉音低減の効果が得られる。
【００７６】
また、３箇所の前記接続支持部５を備えているが、複数または強度的に問題なければ一箇所でも干渉音でも騒音低減の効果が得られ、その間隔も不等間隔であれば角度によらず干渉音低減の効果がえられる。
【００７７】
（実施の形態４）
実施の形態１乃至３のいずれかと同一部分は同一符号を附し詳細な説明は省略する。図８は実施の形態４におけるパイプ用換気扇の断面図であって、電動機１０３をファン３の下流側に備えた本発明の送風装置１８の室内側である上流端にフランジ１０１を設け、これを壁内１０６に埋め込まれて室内外を貫通させるケーシング１０２よりも径の大きいパイプ１０７に挿入し、前記フランジ１０１を室内側壁面１０８に接触させることにより位置決めを行い、パイプ用換気扇室内側のルーバ１０９と共に設置されている。
【００７８】
上記構成において、前記本発明の送風装置１８の運転により、上流側である室内から下流側である室外へ送り出す排気が行われるが、狭い空間で用いる場合の低騒音化に有益な前記本発明の送風装置１８を狭いパイプ内で用いられるパイプ用換気扇に搭載することにより、送風性能を低下させずに騒音低減の効果が得られる。
【００７９】
なお、実施の形態４では室内を上流側に室外を下流側に設置し排気用としているが、前記ファン３とオリフィス６と前記電動機１０３の構成を逆向きに配置し、給気用として用いても狭い空間における低騒音化の効果は得られる。
【産業上の利用可能性】
【００８０】
本発明にかかる送風装置は、狭い空間で用いられる構成において支持部とファンとの干渉の影響を抑制することができたので、干渉音の小さい送風装置として有用であり、またこの送風装置を狭い空間のパイプ内部に設置されるパイプ用換気扇に搭載したので、十分な風量と低騒音化が必要とされる居室用の換気扇として有用である。
【図面の簡単な説明】
【００８１】
【図１】本発明の実施の形態１の斜視図
【図２】同上子午面図
【図３】同上断面図
【図４】本発明の実施の形態２の斜視図
【図５】同上子午面図
【図６】同上週方向断面図
【図７】本発明の実施の形態３の斜視図
【図８】本発明の実施の形態４の断面図
【図９】従来の送風装置を示す断面図
【図１０】従来の送風装置のケーシングの斜視図
【符号の説明】
【００８２】
１      ブレード
２      ファンボス
３      ファン
４      電動機支持部
５      接続支持部
６      オリフィス
７      開口部
８      開口部開始位置
９      ブレード下流端
１０    切欠き
１１    ファンボス外形線
１２    外周端の延長接線
１３    半径方向直線
１４    凹部
１５    ベルマウス
１６    支持部後端
１７    支持接続部
１８    送風装置
１９    ブレード外周部
１０１  フランジ
１０２  ケーシング
１０３  電動機
１０４  シャフト
１０５  ファン
１０６  壁内
１０７  パイプ
１０８  室内側壁面
１０９  ルーバ
１１０  屋外フード
１１１  支持部
【図１】
2008075981.tif 000003
【図２】
2008075981.tif 000004
【図３】
2008075981.tif 000005
【図４】
2008075981.tif 000006
【図５】
2008075981.tif 000007
【図６】
2008075981.tif 000008
【図７】
2008075981.tif 000009
【図８】
2008075981.tif 000010
【図９】
2008075981.tif 000011
【図１０】
2008075981.tif 000012